(57)【要約】  ブックマーク登録部１１は、タッチパネル表示部２０に電子書籍の閲覧画面４０が表示された状態で、指示体Ｆがコーナーの折り曲げを指示する変位をしたことが、接触位置検知回路２１により検知されたときに、コーナーが折り曲げられた表示６１に変更すると共に、表示中のページをブックマーク登録する。ブックマーク送り部１２は、閲覧画面４０にブックマーク登録されたページが表示された状態で、指示体Ｆがページ送りを指示する変位をしたことが接触位置検知回路２１部により検知されたときに、ブックマーク登録された他のページに切り替えて表示する。
2016151920.tif 000002
【特許請求の範囲】
【請求項１】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示している状態で、前記タッチパネル表示部に接触した指示体が前記閲覧画面に表示されているページのコーナーの折り曲げを指示する変位をしたことが、前記接触位置検知部により検知されたときに、該ページをコーナーが折り曲げられた表示に変更すると共に、該ページをブックマーク登録するブックマーク登録ステップと、
前記制御部が、前記閲覧画面に前記ブックマーク登録されたページを表示した状態で、前記タッチパネル表示部に接触した指示体がページの送りを指示する変位をしたことが、前記接触位置検知部により検知されたときに、前記ブックマーク登録された他のページに切り替えて表示するブックマーク送りステップと
を含むことを特徴とする電子書籍の閲覧支援方法。
【請求項２】
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、該制御部により実行される電子書籍の閲覧支援用プログラムであって、
前記制御部を、
前記タッチパネル表示部に電子書籍の閲覧画面が表示された状態で、前記タッチパネル表示部に接触した指示体が前記閲覧画面に表示されたページのコーナーの折り曲げを指示する変位をしたことが、前記接触位置検知部により検知されたときに、該ページをコーナーが折り曲げられた表示に変更すると共に、該ページをブックマーク登録するブックマーク登録部と、
前記閲覧画面に前記ブックマーク登録されたページが表示された状態で、前記タッチパネル表示部に接触した指示体がページ送りを指示する変位をしたことが、前記接触位置検知部により検知されたときに、前記ブックマーク登録された他のページに切り替えて表示するブックマーク送り部と
して機能させることを特徴とする電子書籍の閲覧支援用プログラム。
【請求項３】
請求項２に記載された電子書籍の閲覧支援用プログラムにおいて、
前記ブックマーク登録部は、前記ブックマーク登録を複数レベルに分けて行い、前記閲覧画面にコーナーが折り曲げられていないページが表示された状態で、前記タッチパネル表示部に接触した指示体が該ページのコーナーの折り曲げを指示する変位をしたことが、前記接触位置検知部により検知されたときは、コーナーを折り曲げた表示に変更して該コーナーを折り曲げたページについて第１レベルでのブックマーク登録を行い、前記閲覧画面にコーナーが折り曲げられたページが表示された状態で、前記タッチパネル表示部に接触した指示体がページの折り曲げ箇所の戻しを指示する変位をしたことが、前記接触位置検知部により検知されたときには、該折り曲げ箇所を広げて折り跡がついた表示に変更して、該折り跡がついたページについて第２レベルでのブックマーク登録を行い、
前記ブックマーク送り部は、前記閲覧画面に前記第１レベルのブックマーク登録がされたページが表示された状態で、前記タッチパネル表示部に接触した指示体がページ送りを指示する変位をしたことが、前記接触位置検知部により検知されたときは、前記第１レベルのブックマーク登録がされた他のページに切り替えて表示し、前記閲覧画面に前記第２レベルのブックマーク登録がされたページを表示している状態で、前記タッチパネル表示部に接触した指示体がページ送りを指示する変位をしたことが、前記接触位置検知部により検知されたときには、前記第２レベルのブックマーク登録がされた他のページに切り替
えて表示することを特徴とする電子書籍の閲覧支援用プログラム。
【発明の詳細な説明】
【技術分野】
【０００１】
本発明は、タッチパネル表示装置による電子書籍の閲覧を支援するための方法及びプログラムに関する。
【背景技術】
【０００２】
従来、タッチパネル装置（タブレット端末、スマートホン、パソコン等のタッチパネル表示部を備えた装置）による電子書籍の閲覧を容易にするための種々の方法が提案されている（例えば、特許文献１参照）。【０００３】
特許文献１に記載されたタッチパネル装置は、使用者（閲覧者）によって、タッチパネル表示に表示されたページのコーナー（角部）を折り曲げるタッチ操作がなされたときに、折り曲げるタッチ操作が行われたページにブックマークを設定する処理を行っている。【０００４】
さらに、特許文献１に記載されたタッチパネル装置は、ページのコーナーを折り曲げる操作が行われた回数に応じてブックマークの重要度を設定し、使用者が、折り曲げられたページのコーナーを広げるタッチ操作を行ったときに、ブックマークの設定を解除する処理を行っている。
【先行技術文献】
【特許文献】
【０００５】
【特許文献１】特開２０１３−２１８６９３号公報
【発明の概要】
【発明が解決しようとする課題】
【０００６】
タッチパネル装置により、カタログ等の電子書籍を閲覧するときには、紙媒体の書籍を閲覧するときと同様に、ページをめくりながら注目したページのコーナーを折り曲げてブックマークとし、ブックマークを使って効率良く電子書籍の情報を再検索できることが望まれる。【０００７】
本発明はかかる背景に鑑みてなされたものであり、目的とする情報の再検索を効率良く行うことができる電子書籍の閲覧支援方法、及び電子書籍の閲覧支援用プログラムを提供することを目的とする。
【課題を解決するための手段】
【０００８】
本発明は上記目的を達成するためになされたものであり、本発明の電子書籍の閲覧支援方法は、
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置による電子書籍の閲覧を支援する方法であって、
前記制御部が、前記タッチパネル表示部に電子書籍の閲覧画面を表示している状態で、前記タッチパネル表示部に接触した指示体が前記閲覧画面に表示されているページのコーナーの折り曲げを指示する変位をしたことが、前記接触位置検知部により検知されたときに、該ページをコーナーが折り曲げられた表示に変更すると共に、該ページをブックマーク登録するブックマーク登録ステップと、
前記制御部が、前記閲覧画面に前記ブックマーク登録されたページを表示した状態で、前記タッチパネル表示部に接触した指示体がページの送りを指示する変位をしたことが、前記接触位置検知部により検知されたときに、前記ブックマーク登録された他のページに切り替えて表示するブックマーク送りステップと
を含むことを特徴とする。【０００９】
かかる本発明によれば、使用者が前記タッチパネル装置により電子書籍を閲覧しているときに、前記タッチパネル表示部に指示体（使用者の指、タッチペン等）を接触させて、閲覧画面に表示されているページのコーナーの折り曲げを指示する操作をすると、前記制御部により前記ブックマーク登録ステップが実行されて、表示されているページのコーナーが折り曲げられた表示に変更されると共に、ブックマーク登録がなされる。そのため、使用者は、紙の書籍を閲覧する場合と同様に、ページのコーナーを折り曲げてブックマーク（しおり）を設定することができる。【００１０】
そして、前記閲覧画面に、コーナーが折り曲げられてブックマーク登録がなされたページが表示された状態で、使用者が、前記タッチパネル表示部に指示体を接触させてページ送りを指示する操作をすると、前記制御部により前記ブックマーク送りステップが実行されて、前記ブックマーク登録された他のページが表示される。そのため、使用者は、ブックマーク登録されたページのみを順次切り替えて視認しながら、目的とする情報の再検索を効率良く行うことができる。【００１１】
次に、本発明の電子書籍の閲覧支援用プログラムは、
タッチパネル表示部と、該タッチパネル表示部に対する指示体の接触位置を検知する接触位置検知部と、該接触位置検知部により検知された指示体の接触位置に応じて、前記タッチパネル表示部の表示を変更する制御部とを備えたタッチパネル装置において、該制御部により実行される電子書籍の閲覧支援用プログラムであって、
前記制御部を、
前記タッチパネル表示部に電子書籍の閲覧画面が表示された状態で、前記タッチパネル表示部に接触した指示体が前記閲覧画面に表示されたページのコーナーの折り曲げを指示する変位をしたことが、前記接触位置検知部により検知されたときに、該ページをコーナーが折り曲げられた表示に変更すると共に、該ページをブックマーク登録するブックマーク登録部と、
前記閲覧画面に前記ブックマーク登録されたページが表示された状態で、前記タッチパネル表示部に接触した指示体がページ送りを指示する変位をしたことが、前記接触位置検知部により検知されたときに、前記ブックマーク登録された他のページに切り替えて表示するブックマーク送り部と
して機能させることを特徴とする。【００１２】
かかる本発明によれば、使用者が前記タッチパネル装置により電子書籍を閲覧しているときに、前記タッチパネル表示部に指示体（使用者の指、タッチペン等）を接触させて、前記閲覧画面に表示されているページのコーナーの折り曲げを指示する操作をすると、前記ブックマーク登録部により、表示されているページのコーナーが折り曲げられると共に、ブックマーク登録がなされる。そのため、使用者は、紙の書籍を閲覧する場合と同様に、ページのコーナーを折り曲げてブックマークを設定することができる。【００１３】
そして、前記閲覧画面にコーナーが折り曲げられてブックマーク登録がなされたページが表示された状態で、使用者が、前記タッチパネル表示部に指示体を接触させて、ページ送りを指示する操作をすると、前記ブックマーク送り部により、前記ブックマーク登録がなされた他のページが表示される。そのため、使用者は、ブックマーク登録されたページのみを順次切り替えて視認しながら、目的とする情報の再検索を効率良く行うことができる。【００１４】
また、前記ブックマーク登録部は、前記ブックマーク登録を複数レベルに分けて行い、前記閲覧画面にコーナーが折り曲げられていないページが表示された状態で、前記タッチパネル表示部に接触した指示体が該ページのコーナーの折り曲げを指示する変位をしたことが、前記接触位置検知部により検知されたときは、コーナーを折り曲げた表示に変更して該コーナーを折り曲げたページについて第１レベルでのブックマーク登録を行い、前記閲覧画面にコーナーが折り曲げられたページが表示された状態で、前記タッチパネル表示部に接触した指示体がページの折り曲げ箇所の戻しを指示する変位をしたことが、前記接触位置検知部により検知されたときには、該折り曲げ箇所を広げて折り跡がついた表示に変更して、該折り跡がついたページについて第２レベルでのブックマーク登録を行い、
前記ブックマーク送り部は、前記閲覧画面に前記第１レベルのブックマーク登録がされたページが表示された状態で、前記タッチパネル表示部に接触した指示体がページ送りを指示する変位をしたことが、前記接触位置検知部により検知されたときは、前記第１レベルのブックマーク登録がされた他のページに切り替えて表示し、前記閲覧画面に前記第２レベルのブックマーク登録がされたページを表示している状態で、前記タッチパネル表示部に接触した指示体がページ送りを指示する変位をしたことが、前記接触位置検知部により検知されたときには、前記第２レベルのブックマーク登録がされた他のページに切り替えて表示することを特徴とする。【００１５】
かかる本発明によれば、前記閲覧画面にコーナーが折り曲げられていないページが表示された状態で、使用者が指示体を前記タッチパネル表示部に接触させて、ページのコーナーの折り曲げを指示する操作を行うと、前記ブックマーク登録部により、コーナーを折り曲げたページについて前記第１レベルのブックマーク登録がなされる。【００１６】
また、前記閲覧画面にコーナーが折り曲げられたページが表示された状態で、使用者が指示体を前記タッチパネル表示部に接触させて、折り曲げ箇所の戻しを指示する操作を行うと、前記ブックマーク登録部により、折り曲げ箇所を広げて折り跡がついた表示に変更されて、折り跡がついたページについて第２レベルのブックマーク登録がなされる。【００１７】
そして、使用者が、前記閲覧画面にコーナーが折り曲げられたページが表示された状態で、前記タッチパネル表示部に指示体を接触させて、ページ送りを指示する操作を行ったときは、前記ブックマーク送り部により、前記第１レベルのブックマーク登録がなされた他のページが順次表示される。【００１８】
また、使用者が、前記閲覧画面にコーナーに折り跡がついたページが表示された状態で、前記タッチパネル表示部に指を接触させて、ページ送りを指示する操作を行ったときには、前記ブックマーク送り部により、前記第２レベルのブックマーク登録がなされた他のページが順次表示される。【００１９】
そのため、使用者は、電子書籍について、閲覧頻度が高いページのコーナーを折り曲げて前記第１レベルのブックマーク登録をし、前記第１レベルのブックマーク登録をしたが、その後閲覧頻度が低くなったページの折り曲げ部を戻して前記第２レベルのブックマーク登録に変更することができる。【００２０】
そして、前記閲覧画面にコーナーが折り曲げられたページ又はコーナーの折り跡が付いたページが表示されているときに、使用者は、前記タッチパネル表示部に指示体を接触させてページ送りを指示する操作を行うことによって、前記ブックマーク送り部により前記第１レベルのブックマーク登録がなされたページのみ、又は前記第２レベルのブックマーク登録がなされたページのみを順次表示させて、目的とする情報の再検索を効率良く行うことができる。
【図面の簡単な説明】
【００２１】
【図１】本発明の電子書籍の閲覧支援方法、及び電子書籍の閲覧支援用プログラムが実行されるタッチパネル装置の外観説明図。
【図２】図１に示したタッチパネル装置の構成図。
【図３】ブックマーク登録処理の第１のフローチャート。
【図４】ブックマーク登録処理の第２のフローチャート。
【図５】ページのコーナーの折り曲げ操作の説明図。
【図６】図６Ａは折り曲げられたページのコーナーを広げて元に戻す操作の説明図。図６Ｂは折り跡を消す操作の説明図。
【図７】ページ送り処理のフローチャート。
【図８】コーナーが折り曲げられたページについてのページ送り操作の説明図。
【発明を実施するための形態】
【００２２】
本発明の実施形態の一例について、図１〜図８を参照して説明する。
【００２３】
図１を参照して、本発明の電子書籍の閲覧支援方法及び電子書籍の閲覧支援用プログラムが実行されるタッチパネル装置１は、筐体の前面に配置されたタッチパネル表示部２０と、筐体内に配置されてタッチパネル表示部２０の表示を制御する制御部１０（図２参照）とを備えている。タッチパネル表示部２０は、例えば、液晶ディスプレイの表面に透明のタッチパネルを重ねて構成されている。
【００２４】
図１は、工具の電子カタログ（本発明の電子書籍に相当する）の閲覧画面４０が表示された状態を示しており、閲覧画面４０に表示されたページの右上コーナー６０（角部）の付近にインデックス５０が表示されている。インデックス５０は、閲覧画面４０に表示されているページが属する工具のジャンルを示している。なお、以下では、閲覧画面４０に表示されたページの右上コーナーを単にコーナーと称する。
【００２５】
次に、図２を参照して、タッチパネル装置１には、制御部１０とタッチパネル表示部２０の他に、タッチパネル表示部２０に接触した指示体（使用者の指、タッチペン等）の位置を検知する接触位置検知回路２１（本発明の接触位置検知部に相当する）と、通信回路３０とを備えている。
【００２６】
制御部１０は、図示しないＣＰＵ、メモリ、インターフェース回路等により構成された電子回路ユニットであり、メモリに保持された電子書籍の閲覧支援用プログラムをＣＰＵにより実行することによって、後述するブックマーク登録部１１、及びブックマーク送り部１２として機能する。
【００２７】
制御部１０は、使用者によるタッチパネル表示部２０のタッチ操作に応じて、電子書籍の閲覧処理を行う。この場合、電子書籍のデータと電子書籍のブックマークデータはいずれも、メモリに保持されていてもよく、通信回路３０により、通信ネットワーク１００を介して電子カタログサーバ１０１からダウンロードしてもよい。
【００２８】
次に、図３〜図４に示したフローチャートに従って、制御部１０により実行される電子書籍のブックマーク登録処理について説明する。
【００２９】
制御部１０は、使用者により電子書籍の閲覧アプリケーションの起動操作がなされたときに、このアプリケーションのプログラム（本発明の電子書籍の閲覧支援用プログラムを含む）をＣＰＵで実行して、図１に示したようにタッチパネル表示部２０に電子書籍の閲覧画面４０を表示する。電子書籍の閲覧アプリケーションのプログラムは、予めメモリに保持されていてもよく、電子カタログサーバ１０１等からダウンロードしてもよい。
【００３０】
そして、制御部１０のブックマーク登録部１１は、図３〜図４のフローチャートによる処理を実行して、閲覧画面４０に表示中のページのコーナー６０（図１参照）についての折り曲げ、及び戻し（折り曲げ部の開き）、の操作に応じて、ブックマークの登録と解除を行う。
【００３１】
なお、ブックマーク登録部１１によるブックマークの登録処理は、本発明の電子書籍の閲覧支援方法におけるブックマーク登録ステップに相当する。
【００３２】
ブックマーク登録部１１は、図３のＳＴＥＰ１で、閲覧画面４０に表示されているページのコーナーが折り曲げられている（図５に示したようにコーナーを折り曲げた状態（ブックマーク）６１が表示されている）か否かを判断する。そして、コーナーが折り曲げられているときは図４のＳＴＥＰ１０に分岐し、折り曲げられていないときにはＳＴＥＰ２に進む。
【００３３】
ＳＴＥＰ２で、ブックマーク登録部１１は、表示中のページのコーナーに折り跡がある（図６Ａに示したように折り跡６２が表示されている）か否かを判断する。そして、折り跡があるときは図４のＳＴＥＰ２０に分岐し、折り跡がないときにはＳＴＥＰ３に進む。
【００３４】
ＳＴＥＰ３（ページのコーナー部が折り曲げられておらず、折り跡もない場合）で、ブックマーク登録部１１は、図５に示したように、コーナー部に接触した指示体Ｆ（使用者の指）がページの内側方向Ｄ１に変位して停止したことが、接触位置検知回路２１により検知されたか否か（使用者が指示体Ｆを内側方向Ｄ１にスライドさせてホールドする操作を行ったか否か）を判断する。
【００３５】
なお、このように指示体の停止（ホールド）を判断するのは、フリック操作によるページ送りの指示と区別するためである。
【００３６】
そして、指示体Ｆが内側方向Ｄ１に変位したことが検知されたときはＳＴＥＰ４に進み、指示体Ｆが内側方向Ｄ１に変位したことが検知されなかったときにはＳＴＥＰ１に戻る。
【００３７】
ＳＴＥＰ４で、ブックマーク登録部１１は、図５に示したように、ページのコーナー部が折り曲げられたブックマーク６１を表示した状態に変更し、ＳＴＥＰ５で、表示中のページについて第１レベルでのブックマーク登録を行ってＳＴＥＰ１に戻る。
【００３８】
図４のＳＴＥＰ１０（コーナー部が折り曲げられている場合）で、ブックマーク登録部１１は、図６Ａに示したように、コーナー部に接触した指示体Ｆがページの外側方向Ｄ２に変位したことが、接触位置検知回路２１により２回検知されたか否か（使用者が外側方向Ｄ２へのスライド操作を２回行ったか否かを判断する。
【００３９】
そして、指示体Ｆがページの外側方向Ｄ２に変位したことが２回検知されたときはＳＴＥＰ１１に分岐し、指示体Ｆがページの外側方向Ｄ２に変位したことが２回検知されなかったときには図３のＳＴＥＰ１に戻る。
【００４０】
ＳＴＥＰ１１で、ブックマーク登録部１１は、図６Ａに示したように、ページのコーナーの折り曲げ箇所を広げて折り跡６２がある表示に変更し、ＳＴＥＰ１２で、表示中のページのブックマーク登録を、レベル１からレベル２に変更して図３のＳＴＥＰ１に戻る。
【００４１】
また、図４のＳＴＥＰ２０で、ブックマーク登録部１１は、図６Ｂに示したように、コーナー部に接触した指示体Ｆがページの外側方向Ｄ２に変位したことが、接触位置検知回路２１により２回検知されたか否か（使用者が外側方向Ｄ２へのスライド操作を２回行ったか否か）を判断する。
【００４２】
そして、指示体Ｆがページの外側方向Ｄ２に変位したことが２回検知されたときはＳＴＥＰ３０に分岐し、指示体Ｆがページの外側方向Ｄ２に変位したことが２回検知されなかったときにはＳＴＥＰ２１に進む。
【００４３】
ＳＴＥＰ３０で、ブックマーク登録部１１は、図６Ｂに示したように、ページのコーナー部を折り跡がない表示に変更し、ＳＴＥＰ３１で、表示中のページのブックマーク登録を解除して図３のＳＴＥＰ１に戻る。
【００４４】
ＳＴＥＰ２１で、ブックマーク登録部１１は、図５に示したように、コーナー部に接触した指示体Ｆ（使用者の指）がページの内側方向Ｄ１に変位して停止したことが、接触位置検知回路２１により検知されたか否か（使用者が指示体Ｆを内側方向Ｄ１にスライドさせてホールドする操作を行ったか否か）を判断する。
【００４５】
そして、指示体Ｆが内側方向Ｄ１に変位して停止したことが検知されたときはＳＴＥＰ３５に分岐し、指示体Ｆが内側方向Ｄ１に変位して停止したことが検知されなかったときには図３のＳＴＥＰ１に戻る。
【００４６】
ＳＴＥＰ３５で、ブックマーク登録部１１は、図５に示したように、ページのコーナー部が折り曲げられたブックマーク６１を表示した状態に変更し、ＳＴＥＰ３６で、表示中のページについて第１レベルでのブックマーク登録を行って図３のＳＴＥＰ１に戻る。
【００４７】
以上説明した図３〜図４のフローチャートによる処理によって、ブックマーク登録部１１は、(1)コーナーが折り曲げられたページを第１レベルでブックマーク登録し、(2)コーナーに折り跡がついたページを第２レベルでブックマーク登録し、(3)コーナーが折り曲げられておらず、折り跡もないページについては、ブックマーク登録を行わない又はブックマーク登録を解除する、という処理を行う。
【００４８】
次に、ブックマーク送り部１２は、図７に示したフローチャートによる処理を実行して、各ページのブックマーク登録の状況に応じたページ送り処理を実行する。
【００４９】
なお、ブックマーク送り部１２によるページ送り処理は、本発明の電子書籍の閲覧支援方法におけるブックマーク送りステップに相当する。
【００５０】
図７のＳＴＥＰ５０で、ブックマーク送り部１２は、図８に示したように、コーナー部に接触した指示体Ｆが左方向Ｄ３に変位したことが、接触位置検知回路２１によって検知されたときにＳＴＥＰ５１に進む。
【００５１】
ＳＴＥＰ５１で、ブックマーク送り部１２は、閲覧画面４０に表示されているページのコーナーが折り曲げられているか否か（第１レベルのブックマーク登録がなされているか否か）を判断する。そして、コーナーが折り曲げられているときはＳＴＥＰ６０に分岐し、ブックマーク送り部１２は、第１レベルのブックマーク登録がなされた他のページに切り替えて表示をするページ送り（第１レベルのブックマーク登録がなされたページに限定したページ送り）をする。一方、コーナー部が折り曲げられていないときにはＳＴＥＰ５２に進む。
【００５２】
ＳＴＥＰ５２で、ブックマーク送り部１２は、閲覧画面４０に表示されているページのコーナーに折り跡があるか否か（第２レベルのブックマーク登録がなされているか否か）を判断する。そして、コーナー部に折り跡があるときはＳＴＥＰ７０に分岐し、ブックマーク送り部１２は、第２レベルのブックマーク登録がなされた他のページに切り替えて表示をするページ送り（第２レベルのブックマーク登録がなされたページに限定したページ送り）をする。一方、コーナー部に折り跡がないときにはＳＴＥＰ５３に進む。
【００５３】
ＳＴＥＰ５３で、ブックマーク送り部１２は、ブックマーク登録の有無に拘わらず、電子書籍の全ページを対象としてページ送りをする。
【００５４】
以上説明したブックマーク送り部１２による図３〜図４のフローチャートによる処理によって、使用者は、ブックマーク登録のレベル（レベル１、レベル２、ブックマーク登録なし）ごとにページ送りを行って、再閲覧のためにコーナー部の折り曲げ又は折り跡によるレベル分けをしてブックマーク登録を行ったページを、効率良く再検索することができる。
【００５５】
なお、本実施形態では、使用者がタッチパネル表示部２０を指でタッチして操作する場合を示したが、タッチペン等を用いてタッチパネル表示部２０を操作する場合の処理も同様になる。
【００５６】
また、本実施形態では、ページの右上コーナーについて折り曲げによるブックマーク登録を行う例を示したが、左上コーナー、右下コーナー、及び左下コーナーについて折り曲げによるブックマーク登録を行うようにしてもよい。
【００５７】
また、本実施形態では、ページのコーナー部から内側方向への指示体のスライド操作がなされたときに、コーナー部を折り曲げるようにしたが、コーナーの折り曲げを指示する操作はこれに限られず、他の操作がなされたときにコーナーを折り曲げるようにしてもよい。
【００５８】
また、本実施形態では、ページのコーナーから外側方向への指示体のスライド操作がなされたときに、コーナーの折り曲げを戻し（広げる）、また、折り跡を消すようにしたが、折り曲げの戻しと折り跡の消去を指示する操作はこれに限られず、他の操作がなされたときにコーナー部の折り曲げの戻し又は折り跡の消去を行うようにしてもよい。
【００５９】
また、本実施形態では、ページのコーナー部から左側方向への指示体のスライド操作がなされたときに、ページ送りをするようにしたが、ページ送りを指示する操作はこれに限られず、他の操作がなされたときにページ送りをするようにしてもよい。
【００６０】
また、本実施形態では、コーナーの折り曲げと折り跡により、複数レベルのブックマーク登録を行ったが、複数レベルのブックマーク登録を行わない場合にも、本発明の効果を得ることができる。
【符号の説明】
【００６１】
１…タッチパネル装置、１０…制御部、１１…ブックマーク登録部、１２…ブックマーク送り部、２０…タッチパネル表示部、２１…接触位置検知回路、３０…通信回路、４０…電子書籍の閲覧画面、５０…インデックス、６０…コーナー部、６１…折り曲げ５１…項目ボタン、６０…拡大インデックス、６１…コーナー部の折り曲げによるブックマーク、６２…折り跡、Ｆ…使用者の指（指示体）。
【図１】
2016151920.tif 000003
【図２】
2016151920.tif 000004
【図３】
2016151920.tif 000005
【図４】
2016151920.tif 000006
【図５】
2016151920.tif 000007
【図６】
2016151920.tif 000008
【図７】
2016151920.tif 000009
【図８】
2016151920.tif 000010
【国際調査報告】
2016151920.tif 000011
2016151920.tif 000012
2016151920.tif 000013
2016151920.tif 000014